(57)【要約】【課題】  本発明は、印字されたシート材を切断するにあたり、シート材を脱落や落下させずに切断して回収でき、また、より携行し易くするための軽量化やコンパクト化を可能とするシート材切断装置を提供することである。【解決手段】  固定刃と可動刃とが交差圧接しつつ摺動してシート材を切断するシート材切断装置であって、シート材の排出側から指先でシート材に近接する方向に駆動することによって可動刃の切断方向への駆動力を得る手掛部を備え、シート材切断時点において、手掛部は指先でシート材を把持可能な位置まで近接されるシート材切断装置である。【選択図】  図１
2006334679.tif 000002
【特許請求の範囲】
【請求項１】
固定刃と可動刃とが交差圧接しつつ摺動してシート材を切断するシート材切断装置であって、シート材の排出側から指先でシート材に近接する方向に駆動することによって前記可動刃の切断方向への駆動力を得る手掛部を備え、シート材切断時点において、前記手掛部は指先でシート材を把持可能な位置まで近接されることを特徴とするシート材切断装置。
【請求項２】
固定刃を配置する側には手掛かり可能な固定刃側手掛部を備えることを特徴とする請求項１に記載のシート材切断装置。
【請求項３】
シート材切断時点において、前記手掛部と前記固定刃側手掛部とで切断されたシート材を挟持することを特徴とする請求項２に記載のシート材切断装置。
【請求項４】
シート材切断終了時に固定刃から可動刃を離間させる離間力を得るための弾性部材を備えることを特徴とする請求項１乃至請求項３のいずれかに記載のシート材切断装置。
【発明の詳細な説明】
【技術分野】
【０００１】
本発明は、携行可能なプリンタなどに搭載され、プリンタなどで印字されたシート材を手動で切断するシート材切断装置に関する。
【背景技術】
【０００２】
従来、通信機器、電算機器、撮像機器などに接続可能であって携行可能である、例えばプリンタは、携行し易くするために軽量かつコンパクトであることを求められた。このため、プリンタには印字されたシート材を切断する格別なシート材切断装置を搭載せず、シート材の切断は手指による引き千切りが専らであった。しかしながら、近年は、例えば商談などの会議の場において、印字されたシート材をその場でやり取りする機会が多くなってきた。このため、視覚的に、あるいは保管上の面からも切断されたシート材の切断端が直線状であることが好まれるようになった。
【０００３】
また、切断されたシート材の切断端を直線状とするシート材切断装置を搭載したプリンタなどでは、切断されるシート材を保持できるガイドや、さらに切断されたシート材を回収できるガイドや回収箱を設けることが多かった。これにより、印字され切断されたシート材は脱落や落下することなく切断されて回収され、印字面の汚染や損傷といった不具合を生じさせることがなかった。
【０００４】
固定刃と可動刃とが交差圧接しつつ摺動してシート材を切断するシート材切断装置としては、例えば特許文献１および特許文献２に開示される。特許文献１は、フレームに装着された直線状の刃先線を有する固定刃と、Ｖ字形に窪む刃先線を有する薄板状の可動刃とが、互いの刃先線を交差圧接させつつ摺動してシート材を切断幅方向の両側から切断する、いわゆるギロチン式シート材切断装置である。また、特許文献２は、可動刃である回転刃が固定刃の刃先線に平行または略平行な回転軸心の回りに回転することにより、回転刃と固定刃とが互いの刃先線を剪断角をもって交差圧接させつつ摺動してシート材を切断幅方向の片側から切断する、いわゆるロータリ式シート材切断装置である。上述のシート材切断装置は、固定刃と可動刃の互いの刃先線を交差かつ圧接させる構成としている。これにより、互いの刃先線が離間することなく安定に摺動することができ、円滑かつ良好な切断を得ることができる点で優れている。
【０００５】
【特許文献１】特開平９−１５５７８８号公報
【特許文献２】特開平６−１９０７７６号公報
【発明の開示】
【発明が解決しようとする課題】
【０００６】
しかしながら、切断されたシート材の切断端を直線状とするシート材切断装置を搭載し、かつ上述のガイドや回収箱を設けたプリンタなどでは、プリンタ自体が大きくなって嵩張ってしまうこと、重量が増してしまうことなど、携行するためには不都合な点があった。また、プリンタ自体の嵩張りを緩和するために、上述のガイドや回収箱を設けないプリンタなどもある。しかしながら、印字され切断されたシート材の脱落や落下による印字面の汚染や損傷といった不具合を避けるために、切断タイミングに合せて切断されたシート材を手指で保持する必要があった。しかしながら、切断タイミングを認知し損ねた場合には、切断されたシート材を手指での保持や挟持をし損ねて損傷させてしまうことがあった。
【０００７】
本発明の目的は、上述の問題を鑑み、印字されたシート材を切断するにあたり、シート材を脱落や落下させずに切断して回収でき、また、より携行し易くするための軽量化やコンパクト化を可能とするシート材切断装置を提供することである。
【課題を解決するための手段】
【０００８】
本発明者は、シート材の切断終了時に切断されたシート材が脱落や落下してしまう問題を検討し、シート材の排出側から指先でシート材に近接する方向に駆動することによって可動刃の切断方向への駆動力を得る手掛部を備え、シート材切断時点において、手掛部は指先でシート材を把持可能な位置まで近接される構成とすることにより、上述の問題を解決できることを見出し、本発明に想到した。
【０００９】
すなわち本発明は、固定刃と可動刃とが交差圧接しつつ摺動してシート材を切断するシート材切断装置であって、シート材の排出側から指先でシート材に近接する方向に駆動することによって前記可動刃の切断方向への駆動力を得る手掛部を備え、シート材切断時点において、前記手掛部は指先でシート材を把持可能な位置まで近接されるシート材切断装置である。シート材切断時点におけるシート材に対する前記手掛部の近接距離としては、指先でシート材を容易に把持できる３０ｍｍ以下が好ましく、より好ましくは２０ｍｍ以下であり、さらには１０ｍｍ以下とすることで、前記手掛部に指先を掛けたまま極めて容易にシート材を挟持することができる。
【００１０】
本発明においては、固定刃を配置する側には手掛かり可能な固定刃側手掛部を備えることができる。また、シート材切断時点において、手掛部と固定刃側手掛部とで切断されたシート材を挟持できることが好ましく、切断されたシート材の落下等がない。そして、シート材切断終了時に固定刃から可動刃を離間させる離間力を得るための弾性部材を備えることが好ましい。
【００１１】
また、本発明においては、１００ｍｍ以下の切断幅を有するシート材切断装置とすることが好ましく、より好ましくは６０ｍｍ以下の切断幅とすることであり、これにより本発明のシート材切断装置を携行可能なプリンタなどに搭載し易くなる。
【発明の効果】
【００１２】
本発明によれば、プリンタなどで印字されたシート材の切断時点において、可動刃を切断方向に駆動させる手掛部を駆動させた指先がシート材を把持可能な位置まで近接されるのでシート材を指先で容易に把持することができる。これにより、切断されたシート材が脱落したり落下したりすることがなくなり、シート材の印字面の汚染や損傷といった不具合がなくなる。また、シート材を切断するための格別の駆動機器を要さないために、シート材切断装置やこれを搭載するプリンタなどをより携行し易くするための軽量化やコンパクト化が可能となる。従って本発明は実用上極めて重要な技術となる。
【発明を実施するための最良の形態】
【００１３】
本発明におけるシート材切断装置は、固定刃と可動刃とが交差圧接しつつ摺動してシート材を切断するシート材切断装置である。本発明における固定刃は、可動刃と交差圧接しつつ摺動してシート材を切断できる切断刃であればどのような切断刃でも構わない。固定刃の刃先線については、好ましくは直線状とすることである。直線状の刃先線とすることで、帯材や板材あるいは角材などによって容易に刃先線を形成することができる。あるいは、固定刃を配設するタイバーなどの部材の切断に好適なエッジなどにも簡易に刃先線を形成することができ、格別の切断刃を配設することなく固定刃とすることができる。これにより、固定刃を軽量かつコンパクトなものとすることができる。
【００１４】
また、本発明において可動刃は、固定刃と交差圧接しつつ摺動してシート材を切断できる切断刃であればどのような切断刃でも構わない。可動刃の刃先線については、例えば、切断幅方向において、徐々に傾斜する片刃や、中央部がＶ字形に窪むＶ字刃などが、固定刃に対し可動刃を簡易に交差や圧接させることができるので好適である。あるいは、円筒状や棒状の部材に固定刃と摺動可能に刃先線を形成させた、いわゆる円筒刃とすることもできるが、可動刃自体が重く大きくなる点が不利である。あるいはまた、可動刃としては丸刃でも構わないが、固定刃に対し交差圧接しつつ摺動させるために、回転運動を直線運動に変換するカム機構や、丸刃を固定刃に付勢するための付勢部材などの別部材を具備することとなり、シート材切断装置自体が重く大きくなる点が不利である。
【００１５】
本発明におけるシート材切断装置は、シート材の排出側から指先でシート材に近接する方向に駆動することによって可動刃の切断方向への駆動力を得る手掛部を備え、シート材切断時点において、手掛部は指先でシート材を把持可能な位置まで近接されることに重要な特徴がある。この構成により、切断されたシート材を指先によって把持でき、その指先によってそのままシート材を挟持し、シート材を回収できるものとなる。本発明における手掛部としては、例えば、平板状や棒状といった指先を掛けて操作可能な形状や、孔や切り欠きといった指先を差し入れられる形状とすることができる。そして、可動刃自体や、あるいは可動刃を配設するタイバーなどの部材に対して配設することができる。あるいは可動刃において、その刃先とは反対側となる可動刃の峰などに手掛かりとなる窪みや突起などを設けることで手掛部としても構わない。これにより、シート材切断装置に極めて簡易に手掛部を具備させることができる。また、可動刃の峰などをそのまま手掛部とすることもできる。
【００１６】
このように本発明の構成によれば、切断とともに切断されたシート材を指先で回収できるため、シート材を保持し回収するための格別なガイドや回収箱、また、可動刃を駆動させるための格別の駆動機器を具備する必要がなくなり、シート材切断装置やこれを搭載するプリンタなどをより携行し易くするための軽量化やコンパクト化が可能となる。そして、印字され切断されたシート材の脱落や落下による印字面の汚染や損傷といった不具合がなくなる。
【００１７】
なお、より具体的には、例えば、可動刃または可動刃を配置する部材に設けた手掛部に手の第二指（人差し指）を掛けて押圧し、可動刃を切断方向に駆動させ、シート材切断時点において、切断されたシート材を手掛部を押圧した手の第二指と、および第一指（親指）とで把持する、といった操作となる。手掛かりの仕方は、上述とは反対に第一指を手掛部に掛けても、あるいは他指であっても構わない。そして、第シート材切断時点におけるシート材に対する手掛部の近接距離としては、例えば第一指と第二指とが容易に係合し得る３０ｍｍ以下が好ましく、より好ましくは２０ｍｍ以下であり、さらには１０ｍｍ以下とすることで、手掛部に例えば第二指を掛けたまま第一指とでシート材を挟持することが極めて容易となるので好適である。
【００１８】
また、本発明におけるシート材切断装置においては、固定刃を配置する側に手掛かり可能な固定刃側手掛部を備えることができる。本発明における固定刃側手掛部とは、シート材の排出側から指先を掛けることができ、上述の手掛部を押圧する指先と協働することにより、可動刃を切断方向に移動させることができるものである。また、上述の可動刃側手掛部と同等の構成によって極めて簡易にシート材切断装置に具備させることができる。これにより、固定刃を配置する側においても指先を掛ける個所ができ、可動刃の切断方向への駆動を確実かつ安定に行うことができる。さらに、上述の手掛部および固定刃側手掛部を押圧する指先の動作がシート材を把持する向きの動作となるので、可動刃の押圧力、つまりシート材の切断荷重を増すことができ、円滑かつ安定なシート材の切断を得ることができる。
【００１９】
そしてまた、シート材切断時点において、上述の手掛部と固定刃側手掛部とにより、切断されたシート材を把持することができることが好ましい。例えば、手掛部および固定刃側手掛部を平面を有する板状とし、固定刃側手掛部の平面をシート材通紙方向にほぼ平行となるように配置し、シート材切断時点において手掛部の平面がシート材通紙方向にほぼ平行となるように配置し、手掛部および固定刃側手掛部の平面が切断終了時のシート材に接触可能となるように配置する構成とする。この構成とすれば、手掛部と固定刃側手掛部とで協働して可動刃を切断方向に駆動させ、シート材切断時点において、切断されたシート材を手掛部と固定刃側手掛部とでそのまま直接挟持することができるのでシート材を脱落や落下させることがない。そして、シート材をそのまま指先で把持して回収することができる。また、手掛部や固定刃側手掛部のシート材と対向する面には、シート材を挟持させたときのシート材の滑りや損傷を防止するためにゴムなどの弾性体や緩衝材を備えることも好ましく、切断されたシート材の脱落や落下を確実に防止できる。
【００２０】
本発明におけるシート材切断装置においては、好ましくは、シート材切断終了時に固定刃から可動刃を離間させる離間力を得るための弾性部材を備える。例えば、シート材に対してほぼ直角に駆動させる可動刃では、切断幅方向の両側にコイルバネを配置することで可動刃の固定刃からの離間動作を安定かつ円滑にさせることができる。また、固定刃に対して鋏式に駆動させて切断する可動刃では、切断幅方向において、可動刃の鋏式に軸支される側にねじりコイルバネや板バネなどを配置するか、または鋏式に軸支されない側にコイルバネを配置することができる。また、可動刃の移動量が比較的小さい場合にはゴムなどの弾性部材を配置してもよい。これにより、指先による押圧を解除したとき、弾性部材の反発力により固定刃から可動刃を離間する離間力を得ることができ、可動刃を切断前の待機位置に容易に移動させることができる。
【００２１】
以下、本発明におけるシート材切断装置の具体的な構成例について、図を用いて説明する。
図１は、本発明におけるシート材切断装置において、固定刃１の直線状の刃先線１ａと、シート材１０に対してほぼ直角に移動する可動刃２の切断幅方向の中央部がＶ字型に窪む刃先線２ａとが、交差圧接しつつ摺動してシート材１０を切断する、いわゆるギロチン式シート材切断装置である。図１（ａ）に示すように、固定刃１および可動刃２を配置する側には、いずれも平面を有する板状の固定刃側手掛部３および手掛部４を設けている。また、可動刃２の切断幅方向の両側には、可動刃２を固定刃１から離間する側に荷重するコイルバネ５を備える。
【００２２】
シート材１０の切断時には、図１（ｂ）に示すように指先２０ａ、２０ｂをシート材１０の排出側から固定刃側手掛部３および手掛部４に掛け、これをシート材１０を把持する向きに指先２０ａ、２０ｂによって押圧して駆動させる。この動作により、可動刃２を切断方向に駆動させ、固定刃１に対して交差圧接しつつ摺動させることができ、シート材１０の切断幅方向の両側から切断が開始される。そして、切断しながら手指によってシート材１０を保持することができる。そして、シート材切断時点においては、手掛部４はシート材１０に接触するところまで近接し、これにより固定刃側手掛部３と手掛部４とでシート材１０を挟持でき、また手掛部４に掛けた指先２０ｂと固定刃側手掛部３に掛けた指先２０ａとでシート材１０をそのまま挟持しつつ回収することができる。また、可動刃２は、指先２０ｂを手掛部４から離すと同時に、コイルバネ５の反発力によって固定刃１と離間する側に移動され、切断前の待機位置に戻される。
【００２３】
また、図２は、本発明におけるシート材切断装置において、固定刃１１の直線状の刃先線１１ａと、切断幅方向の片側で軸１３により回転自在に軸支され、シート材１０に対して鋏式に移動する可動刃１２の切断幅方向において徐々に傾斜する刃先線１２ａとが、交差圧接しつつ摺動してシート材１０を切断する、いわゆる鋏式シート材切断装置である。本構成例においては、可動刃１２を配置する側には手掛部となる窪み１４を設けている。また、軸１３には、可動刃１２を固定刃１１から離間する側に荷重するねじりコイルバネ１５を配設している。鋏式シート材切断装置においては、軸１３やねじりコイルバネ１５を設けず、例えば弾性に富む部材をＵ字形に屈曲させた屈曲部を、固定刃から可動刃を離間させるバネ部とすることもできる。
【００２４】
シート材１０の切断時には、シート材１０の排出側から指先２０ｂを窪み１４に掛け、固定刃１１に向かって指先２０ｂによって押圧して駆動させる。この動作により、可動刃１２を切断方向に駆動させ、固定刃１１に対して交差圧接しつつ摺動させることができ、シート材１０の切断幅方向の片側から切断が開始される。そして、切断しながら指先２０ａをシート材１０に添えて保持することもできる。そして、切断終了時には、窪み１４はシート材１０に対して近接し、これにより窪み１４に掛けた指先２０ｂとシート材１０に添えた指先２０ａとでシート材１０をそのまま把持しつつ回収することができる。また、可動刃１２は、指先２０ｂを窪み１４から離すと同時に、ねじりコイルバネ１５の反発力によって固定刃１１と離間する側に移動され、切断前の待機位置に戻される。
【００２５】
また、図３は、本発明におけるシート材切断装置において、可動刃２２の刃先線２２ａが、ほぼ切断幅方向に沿って配置される回転軸２３まわりに回転しながら、固定刃２１の刃先線２１ａと交差圧接しつつ摺動してシート材１０を切断する、いわゆるロータリ式シート材切断装置である。本構成例においては、可動刃２２を配置する側となる回転軸２３には、手掛部となるレバー２４を固設している。そして、このレバー２４を指先２０ｂによって押圧して駆動させることで、可動刃２２を切断方向あるいは固定刃と離間する向きに往復自在に駆動させることができる。そして、指先２０ｂでレバー２４を操作しつつシート材１０を切断し、シート材切断時点においては、レバー２４はシート材１０に対して近接し、これによりレバー２４に掛けた指先２０ｂと別の指先２０ａとで切断されたシート材１０を把持しつつ回収することができる。
【図面の簡単な説明】
【００２６】
【図１】本発明におけるシート材切断装置の構成例を示す構成図である。
【図２】本発明におけるシート材切断装置の構成例を示す構成図である。
【図３】本発明におけるシート材切断装置の構成例を示す構成図である。
【符号の説明】
【００２７】
１．固定刃、１ａ．刃先線、２．可動刃、２ａ．刃先線、３．固定刃側手掛部、４．手掛部、５．コイルバネ、１０．シート材、１１．固定刃、１１ａ．刃先線、１２．可動刃、１２ａ．刃先線、１３．軸、１４．窪み、１５．ねじりコイルバネ、２０ａ、２０ｂ．指先、２１．固定刃、２１ａ．刃先線、２２．可動刃、２２ａ．刃先線、２３．回転軸、２４．レバー
【図１】
2006334679.tif 000003
【図２】
2006334679.tif 000004
【図３】
2006334679.tif 000005